(57)【特許請求の範囲】
【請求項１】
偏光フィルムと前記偏光フィルムの片面に付着した離型フィルムとを含む偏光板の移送経路上に設けられ、前記偏光フィルムから離型フィルムを分離する分離部と、
前記偏光フィルムの移送経路上に設けられ、前記偏光フィルムの片面上に形成されている粘着層内に異物が存在するか否かを検査する検査部と、
前記離型フィルムの移動経路上に設けられ、前記離型フィルムにかかるテンションの程度に応じて動いた位置により前記テンションの程度を表示するテンション表示部と、
前記テンション表示部の前記位置を把握して、前記位置に対応する情報を生成するテンション測定部と、
前記検査部を通過した前記偏光フィルムの粘着層上に、前記偏光フィルムから分離され、前記テンション表示部を通過した前記離型フィルムを再度積層する再積層部と、
再度積層した偏光板の移送経路に設けられ、前記離型フィルムを前記偏光フィルムに再度積層する過程において、前記偏光フィルム及び前記離型フィルムのテンションを調節するテンション調節部と、
前記テンション測定部により生成された前記情報に基づいて、前記テンション表示部と連動して前記テンション調節部を動作させる制御部と、を含み、
前記テンション表示部は、前記分離部と前記再積層部との間に位置し、
前記制御部は、前記テンション測定部によって測定された前記テンション表示部の位置が基準位置よりも下にある場合は、前記偏光フィルムから分離された前記離型フィルムのテンションが前記偏光フィルムのテンションよりも小さいと判断し、前記テンション調節部を上昇させるための制御信号を出力することで相互分離された前記偏光フィルム及び前記離型フィルムのテンションがバランスをとるようにし、
前記制御部は、前記テンション測定部によって測定された前記テンション表示部の位置が前記基準位置よりも上にある場合は、前記偏光フィルムから分離された前記離型フィルムのテンションが前記偏光フィルムのテンションよりも大きいと判断し、前記テンション調節部を下降させるための制御信号を出力することで相互分離された前記偏光フィルム及び前記離型フィルムのテンションがバランスをとるようにする、フィルムのテンション調節システム。
【請求項２】
前記フィルムのテンション調節システムが、
前記偏光フィルム、前記離型フィルム、及び前記偏光板の移送経路上に設けられ、前記偏光フィルム、前記離型フィルム、及び前記偏光板の移送をガイドする複数のガイドロールを含む請求項１に記載のフィルムのテンション調節システム。
【請求項３】
前記分離部が、
前記偏光板を挟んで相互反対側に位置する一対のロールを含む請求項１又は請求項２に記載のフィルムのテンション調節システム。
【請求項４】
前記一対のロールのうち前記離型フィルムに密着したロールが、
前記離型フィルムを吸着して前記偏光フィルムから分離する請求項３に記載のフィルムのテンション調節システム。
【請求項５】
前記検査部が、
前記偏光フィルムを挟んで相互反対側に位置する光源及びビジョンカメラ、並びに、前記光源とビジョンカメラとの間に位置するクロスフィルターを含む請求項１から請求項４のいずれか一項に記載のフィルムのテンション調節システム。
【請求項６】
前記テンション表示部が、
前記離型フィルムのテンションが増加する場合は高さが上昇し、前記離型フィルムのテンションが減少する場合は高さが下降するように設けられたダンサーロールである請求項１から請求項５のいずれか一項に記載のフィルムのテンション調節システム。
【請求項７】
前記再積層部が、
前記偏光フィルム及び離型フィルムを挟んで相互反対側に位置する一対のロール形態で具現される請求項１から請求項６のいずれか一項に記載のフィルムのテンション調節システム。
【請求項８】
前記テンション調節部が、
再積層した前記偏光板の移送をガイドするアクションロールと、
前記アクションロールに連結され、前記アクションロールを上下に移動させるアクチュエータと、を含む請求項１から請求項７のいずれか一項に記載のフィルムのテンション調節システム。
【請求項９】
請求項１から請求項８のうちいずれか一項に記載のフィルムのテンション調節システムを含む偏光板製造システム。
【発明の詳細な説明】
【技術分野】
【０００１】
本発明は、フィルムのテンション調節システム及びこれを含む偏光板製造システムに関し、より詳しくは、偏光フィルムの片面から離型フィルムを分離してから、再度積層する過程で偏光フィルム及び離型フィルムのテンションを適切に維持可能にするフィルムのテンション調節システム及びこれを含む偏光板製造システムに関する。
【０００２】
本出願は、２０１４年８月１４日出願の韓国特許出願第１０−２０１４−０１０６１５６号に基づく優先権を主張し、該当出願の明細書及び図面に開示された内容は、すべて本出願に援用される。
【背景技術】
【０００３】
偏光板は、通常、ＰＶＡフィルムの両面にＴＡＣフィルムを積層し、ある片面のＴＡＣフィルムの表面に保護フィルムを付着して多層構造の偏光フィルムを製作した後、保護フィルムを形成した面の反対面には粘着剤を用いて離型フィルムを付着することで製造することができる。
【０００４】
図１を参照すれば、このような積層工程を経て製造された多層構造の偏光板は、切断工程によって適切な長さに切断した後で搬出されるが、偏光板の搬出前には粘着層内に異物が流入したか否かを検査するようになる。
【０００５】
即ち、偏光板の製造工程において、粘着剤の塗布（コーティング）作業時に異物が粘着剤に流入した場合、輝点不良が発生することがあり、これを検出するために同一の偏光板をクロスして光が漏れる程度を測るようになる。
【０００６】
しかし、このような検査段階において、偏光フィルムの片面に付着した離型フィルムが光の偏光度を低下させる恐れがあり、これにより異物の流入有無についての検査が正確に行われにくいという問題点がある。
【発明の概要】
【発明が解決しようとする課題】
【０００７】
本発明は、上記問題点に鑑みてなされたものであり、偏光フィルムの片面に形成された粘着層内に異物が流入したか否かを検査するに際し、正確性を高め、相互分離した偏光フィルムと離型フィルムを再度積層するとき、両フィルムの張力を適切に維持させることで、製造された偏光板の品質を向上させることを目的とする。
【０００８】
但し、本発明が有する効果はこれに限定されず、ここに説明されていない本発明による効果は、以下に説明する本発明の図面及び発明の詳細な説明からより明確に理解されるだろう。
【課題を解決するための手段】
【０００９】
上記の課題を達成するため、本発明によるフィルムのテンション調節システムは、偏光フィルムと前記偏光フィルムの片面に付着した離型フィルムとを含む偏光板の移送経路上に設けられ、前記偏光フィルムから離型フィルムを分離する分離部と、前記偏光フィルムの移送経路上に設けられ、前記偏光フィルムの片面上に形成されている粘着層内に異物が存在するか否かを検査する検査部と、前記離型フィルムの移動経路上に設けられ、前記離型フィルムにかかるテンションの程度を示すテンション表示部と、前記検査部を通過した偏光フィルムの粘着層上に、前記テンション表示部を通過した離型フィルムを再度積層する再積層部と、再度積層した偏光板の移送経路に設けられ、前記偏光フィルム及び離型フィルムのテンションを調節するテンション調節部と、を含む。
【００１０】
前記フィルムのテンション調節システムは、前記偏光フィルム、離型フィルム及び偏光板の移送経路上に設けられ、各構成要素の移送をガイドする複数のガイドロールを含むことができる。
【００１１】
前記分離部は、前記偏光板を挟んで相互反対側に位置する一対のロールを含むことができる。
【００１２】
前記一対のロールのうち前記離型フィルムに密着したロールは、前記離型フィルムを吸着して前記偏光フィルムから分離することができる。
【００１３】
前記検査部は、前記偏光フィルムを挟んで相互反対側に位置する光源及びビジョンカメラ、並びに、前記光源とビジョンカメラとの間に位置するクロスフィルターを含むことができる。
【００１４】
前記テンション表示部は、前記離型フィルムのテンションが増加する場合は高さが上昇し、前記離型フィルムのテンションが減少する場合は高さが下降するように設けられたダンサーロールであり得る。
【００１５】
前記再積層部は、前記偏光フィルム及び離型フィルムを挟んで相互反対側に位置する一対のロールであり得る。
【００１６】
前記テンション調節部は、再度積層した前記偏光板の移送をガイドするアクションロールと、前記アクションロールに連結され、前記アクションロールを上下に移動させるアクチュエータと、を含むことができる。
【００１７】
前記フィルムのテンション調節システムでは、前記表示部とテンション調節部とが相互連動することができる。
【００１８】
なお、上記の課題を達成するための本発明の一実施例による偏光板製造システムは、前記フィルムのテンション調節システムを含む形態で具現される。
【発明の効果】
【００１９】
本発明の一面によれば、偏光フィルムの片面に形成された粘着層内に異物が流入したか否かについての検査の正確性を高めることができる。
【００２０】
また、本発明の他面によれば、異物の流入有無の検査のために相互分離していた偏光フィルムと離型フィルムを再度積層するに際し、両フィルムの張力を適切に維持させることで、製造された偏光板の品質を向上させることができる。
【図面の簡単な説明】
【００２１】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００２２】
【図１】従来の偏光板の製造システムを示すブロック図である。
【図２】本発明の一実施例によるフィルムのテンション調節システム及びこれを含む偏光板製造システムを示すブロック図である。
【図３】本発明に適用される偏光板の例示的具現形態を示す図である。
【図４】本発明の一実施例によるフィルムのテンション調節システムの例示的具現形態を示す図である。
【図５】分離した二つのフィルムのテンション関係を説明するための図である。
【図６】偏光フィルムの張力水準に応じたテンション表示部の動き及びそれによるテンション調節部の動きを示す図である。
【図７】偏光フィルムの張力水準に応じたテンション表示部の動き及びそれによるテンション調節部の動きを示す図である。
【図８】偏光フィルムの張力水準に応じたテンション表示部の動き及びそれによるテンション調節部の動きを示す図である。
【図９】偏光フィルムの張力水準に応じたテンション表示部の動き及びそれによるテンション調節部の動きを示す図である。
【図１０】本発明の他の実施例による偏光フィルムの張力調節システムの一部を示すブロック図である。
【発明を実施するための形態】
【００２３】
以下、添付された図面を参照して本発明の望ましい実施例を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２４】
図２を参照して本発明の一実施例による偏光板製造システム及びそれに適用されるフィルムのテンション調節システムの全体的な構成を説明する。
【００２５】
図２は、本発明の一実施例によるフィルムのテンション調節システム及びそれを含む偏光板製造システムを示すブロック図である。
【００２６】
図２を参照すれば、本発明の一実施例による偏光板製造システムは、積層部１０、フィルムのテンション調節システム２０、切断部３０及び排出部４０を含む形態で具現され、前記フィルムのテンション調節システム２０は、分離部２１、検査部２２、テンション表示部２３、再積層部２４及びテンション調節部２５を含む形態で具現することができる。
【００２７】
前記積層部１０は、ＰＶＡフィルム（Ｐｏｌｙ  Ｖｉｎｙｌ  ａｌｃｏｈｏｌ  ｆｉｌｍ）、ＴＡＣフィルム（Ｔｒｉ  Ａｃｅｔａｔｅ  Ｃｅｌｌｕｌｏｓｅ  ｆｉｌｍ）、保護フィルム、離型フィルムなどのフィルムを相互積層して一つの完成した偏光板を製造することで、ロールトゥロール（ｒｏｌｌ  ｔｏ  ｒｏｌｌ）方式で各フィルムを供給及び積層することで複数の層で構成された偏光板を形成する。
【００２８】
前記フィルムのテンション調節システム２０は、積層部１０によって複数のフィルムが積層して形成された偏光板において、粘着層内への異物の流入有無を検査するために偏光板を二つの部分に分離してから再度積層するためのものである。
【００２９】
即ち、前記分離部２１は、複数のフィルム層からなる偏光板を二つの部分（偏光フィルム及び離型フィルム）に分離し、前記検査部２２は、分離した二部分のうち、粘着層を備えている偏光フィルムに対して異物の有無を検査する。
【００３０】
また、前記テンション表示部２３は、離型フィルムにかかるテンションの程度に応じて動くことでテンションの程度を示し、前記再積層部２４は、分離した偏光フィルムと離型フィルムを再度結合させ、前記テンション調節部２５は、テンション表示部２３によって示される離型フィルムの張力程度に応じて偏光フィルム及び離型フィルムの張力を適切に調節する。
【００３１】
一方、前記切断部３０は、このようなフィルムのテンション調節システム２０を通過しながら異物の流入有無の検査及び再積層済みの偏光板を、適用する応用素子の用途に応じて適切なサイズに切断し、前記排出部４０は、切断が完了した偏光板を工程ラインの外へ排出し、出荷するようにしている。
【００３２】
続いて、図３及び図４を参照し、本発明の一実施例によるフィルムのテンション調節システムの例示的な具現形態をより詳しく説明する。
【００３３】
図３は、本発明に適用される偏光板の例示的具現形態を示す図であり、図４は、本発明の一実施例によるフィルムのテンション調節システムの例示的具現形態を示す図である。
【００３４】
先ず、図３を参照すれば、本発明に適用される偏光板Ｆは、ＰＶＡフィルムの両面上にＴＡＣフィルムが積層され、その片面上には保護フィルムが形成され、他面上には粘着層を挟んで離型フィルムＦ２が形成されている形態で具現することができる。
【００３５】
本発明の説明に際し、前記偏光板Ｆにおける離型フィルムＦ２部分を除いた残りの部分、即ち、両面に保護フィルム及び粘着層が形成された部分を偏光フィルムＦ１と定義する。
【００３６】
図４を参照すれば、前記分離部２１は、偏光板Ｆの移送経路上に設けられ、偏光フィルムＦ１から離型フィルムＦ２を分離するものであり、偏光板Ｆを挟んで互いに反対側に位置する一対のロールを含む形態で具現することができる。
【００３７】
ここで、前記一対のロールのうち、離型フィルムＦ２に密着したロールは、離型フィルムＦ２を吸着する吸着パッドを備えるか、ロールの外周面上に吸着孔を備えることができ、これによって、一対のロールの間を通過する偏光板Ｆを二つの部分に分離することができる。
【００３８】
前記検査部２２は、分離部２１を通過しながら分離した偏光フィルムＦ１と離型フィルムＦ２のうち、偏光フィルムＦ１の移送経路上に設けられ、偏光フィルムＦ１の片面上に形成された粘着層内における異物の存在有無を検査するものであり（偏光フィルムの片面に粘着剤を塗布する過程で異物が流入する場合、輝点不良が生じ得、これを検出するためのものである）、光源２２ａ、クロスフィルター（ｃｒｏｓｓ  ｆｉｌｔｅｒ）２２ｂ及びビジョンカメラ（２２ｃ）を含むことができる。
【００３９】
前記光源２２ａ及びビジョンカメラ２２ｃは、離型フィルムＦ２から分離した偏光フィルムＦ１が通る経路上において、偏光フィルムＦ１を挟んで相互反対側に位置し、クロスフィルター２２ｂは、このような光源２２ａとビジョンカメラ２２ｃとの間に位置する。
【００４０】
前記テンション表示部２３は、偏光フィルムＦ１と分離し、他の経路を通じて移送される離型フィルムＦ２の経路上に設けられ、離型フィルムＦ２にかかるテンションの大きさに応じて上／下に動くダンサーロール（Ｄａｎｃｅｒ  ｒｏｌｌ）の形態で具現することができる。
【００４１】
この場合、前記ダンサーロールは、離型フィルムＦ２の移送をガイドする一対のガイドロールＲの間に設けられ、離型フィルムＦ２にかかるテンションが増加すれば上昇し、テンションが減少すれば下降するように動く。
【００４２】
なお、前記ガイドロールＲは、フィルムの移送をガイドし、ダンサーロールの両側のみならず、偏光板Ｆ、偏光フィルムＦ１及び離型フィルムＦ２の安定的な移送のために、フィルムの移送経路上に複数個を設置することができる。
【００４３】
前記再積層部２４は、検査部２２を通過した偏光フィルムＦ１の粘着層上に、テンション表示部２３を通過した離型フィルムＦ２を再度積層し、偏光フィルムＦ１及び離型フィルムＦ２を挟んで相互反対側に位置する一対のロール形態で具現することができる。
【００４４】
即ち、前記分離部２１を通過しながら相互分離して他の経路に沿って移送されていた偏光フィルムＦ１及び離型フィルムＦ２は、一対のロールの間を通過しながら再び合わせられるようになる。
【００４５】
続いて、前記テンション調節部２５は、再積層部２４を通過して移送される偏光板Ｆの移送経路上に設けられ、光学フィルムＦ１及び離型フィルムＦ２のテンションを調節し、再度積層した偏光板Ｆの動きをガイドし、上下動によって光学フィルムＦ１及び離型フィルムＦ２のテンションを調節するアクションロールを含む形態で具現することができる。
【００４６】
即ち、前記テンション調節部２５は、上下動のためにアクチュエータに連結することができ、システムユーザはテンション表示部２３から把握した各フィルムＦ１、Ｆ２のテンション程度に応じてアクションロールを動かして各フィルムＦ１、Ｆ２のテンションを適切な水準に調節することができる。
【００４７】
前記ダンサーロール及びアクションロールの動きによる各フィルムＦ１、Ｆ２の張力変化の様相については、図５〜図９を参照して以下に詳しく説明する。
【００４８】
図５は、分離した二つのフィルムのテンション関係を説明するための図であり、図６〜図９は、偏光フィルムの張力水準に応じたテンション表示部の動き及びこれによるテンション調節部の動きを示す図である。
【００４９】
先ず、図５を参照すれば、分離した二つのフィルムＦ１、Ｆ２のうち、離型フィルムＦ２の張力が大きくなる場合、偏光フィルムＦ１がフィルムＦ１、Ｆ２、Ｆの進行方向（図５に示した矢印方向）に沿って力を受けて引かれてくる現象が発生するため、偏光フィルムＦ１にかかる張力はむしろ減少するようになる。同様に、前記離型フィルムＦ２の張力が減少する場合、偏光フィルムＦ１の張力が増加するようになる。
【００５０】
このように、二つのフィルムＦ１、Ｆ２にかかる張力が相互相反した様相を示すことは、二つのフィルムが分離しているためであり、このような張力の不均衡を解消しない場合、二つのフィルムＦ１、Ｆ２を再積層することで得られる偏光板の品質が低下するしかない。
【００５１】
したがって、本発明では、テンション表示部２３から把握した離型フィルムＦ２の張力水準に応じ、テンション調節部２５を用いて両フィルムＦ１、Ｆ２の張力が適切な水準を維持するようにする。
【００５２】
図６を参照すれば、ダンサーロールが、離型フィルムＦ２の適切な張力水準を示す基準位置よりも下に移動していることが分かる。これは、離型フィルムＦ２の張力が、適正水準に比べ減少したことを意味し、言い換えれば、偏光フィルムＦ１の張力が適正水準に比べ増加したことを意味する。
【００５３】
したがって、この場合、図７に示したように、アクションロールを上昇させて偏光フィルムＦ１の張力を減少させることにより、離型フィルムＦ２の張力を増加させることで、両フィルムＦ１、Ｆ２の張力がバランスをとるようにすることができる。
【００５４】
なお、図８を参照すれば、ダンサーロールが離型フィルムＦ２の適切な張力水準を示す基準位置よりも上に移動していることが分かる。これは、離型フィルムＦ２の張力が、適正水準に比べ増加したことを意味し、言い換えれば、偏光フィルムＦ１の張力が適正水準に比べ減少したことを意味する。
【００５５】
したがって、この場合、図９に示したように、アクションロールを下降させて偏光フィルムＦ１の張力を増加させることにより、離型フィルムＦ２の張力を減少させることで、両フィルムＦ１、Ｆ２の張力がバランスをとるようにすることができる。
【００５６】
上述のように、本発明の一実施例によるフィルムのテンション調節システム及びこれを含む偏光板製造システムは、偏光フィルム内に流入した異物の存在有無に対する正確な検査のために偏光板を二つの部分に分離し、分離した二つのフィルムのテンションがバランスをとるようにすることで、完成した偏光板の品質を向上させることができる。
【００５７】
次に、図１０を参照して本発明の他の実施例によるフィルムのテンション調節システムを説明する。
【００５８】
図１０は、本発明の他の実施例によるフィルムのテンション調節システムの一部を示すブロック図である。
【００５９】
本発明の他の実施例によるフィルムのテンション調節システムは、以前の実施例に比べて、テンション表示部２３とテンション調節部２５との連動のために更なる構成要素を追加した点で相違するだけで、その他の構成要素は実質的に同一である。したがって、本発明の他の実施例によるフィルムのテンション調節システムの説明に際し、以前の実施例と重複する説明は省略し、相異なる部分のみについて重点的に説明する。
【００６０】
図１０を参照すれば、本発明の他の実施例による偏光フィルムのテンション調節システムは、テンション表示部２３とテンション調節部２５との連動のために、即ち、テンション表示部２３に示される離型フィルムＦ２のテンション水準に応じてテンション調節部２５の動作が自動で行われるようにするために、テンション測定部２６及び制御部２７をさらに含むことができる。
【００６１】
前記テンション測定部２６は、テンション表示部２３の上下動による位置を把握し、それに対応する情報を生成し、それを制御部２７に伝達する。かかるテンション測定部２６は、テンション表示部２３と物理的に連結されたセンサーであってもよいが、物理的連結のない光センシングなどを用いてテンションを測定することもできる。
【００６２】
前記制御部２７は、テンション測定部２６から伝達されたテンション測定部２６の位置情報を、予め保存していた基準値に比較し、比較結果に応じてテンション調節部２５の動きを制御するための制御信号を出力し、出力した制御信号を受信したテンション調節部２５は、制御信号に応じて動作することで各フィルムＦ１、Ｆ２のテンションを調節する。
【００６３】
上述のように、本発明の他の実施例によるフィルムのテンション調節システムは、テンション表示部２３とテンション調節部２５とが連動するように構成することで、フィルムＦ１、Ｆ２の分離後の再付着時、フィルムＦ１、Ｆ２の張力調節が自動で行われるようにすることができ、これによって、完成した偏光フィルムＦの優れた品質の確保は勿論、製造工程の効率も向上させることができる。
【００６４】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【図１】
0006497528.tif 000002
【図２】
0006497528.tif 000003
【図３】
0006497528.tif 000004
【図４】
0006497528.tif 000005
【図５】
0006497528.tif 000006
【図６】
0006497528.tif 000007
【図７】
0006497528.tif 000008
【図８】
0006497528.tif 000009
【図９】
0006497528.tif 000010
【図１０】
0006497528.tif 000011